(57)【要約】【課題】段積みされた上段側容器に収容物があった場合でも、下段側容器の側壁部が外方へ開くことを抑止するとともに、類似した他の容器との段積みが可能な容器を提供する。【解決手段】上下に段積み可能な容器１００は、略矩形状の底壁部１１０と、当該底壁部１１０の各辺から上方に延出する側壁部１２０，１２２と、段積み時に、下段側容器へ載置される長辺側下フランジ部１４０及び短辺側下フランジ部１４２と、段積み時に、上段側容器が載置される上フランジ部１５０と、を有している。そして、短辺側下フランジ部１４２は、短辺側側壁部１２２に近づくに連れて上方へ傾く第１傾斜面１４３を有し、長辺側下フランジ部１４０は、下方へ傾く第２傾斜面１４１ｂを有している。【選択図】  図２
2019218089.tif 000002
【特許請求の範囲】
【請求項１】
上下に段積み可能な容器であって、
略矩形状の底壁部と、
当該底壁部の各辺から上方に延出する側壁部と、
段積み時に、下段側容器へ載置される載置部と、
段積み時に、上段側容器が載置される被載置部と、
を有し、
前記載置部は、前記側壁部に近づくに連れて上方へ傾く第１傾斜部と、下方へ傾く第２傾斜部とを有することを特徴とする容器。
【請求項２】
前記第１傾斜部と前記第２傾斜部とは、連続して形成されることを特徴とする請求項１に記載の容器。
【発明の詳細な説明】
【技術分野】
【０００１】
本発明は、上下に段積み可能な容器に関するものである。
【背景技術】
【０００２】
従来より、上下に段積み可能な容器に関する技術が種々提案されている。
【０００３】
例えば、下記特許文献１に記載された容器（コンテナ）は、上面が開口している直方体状の箱体であり、コンテナ本体の側壁に上部フランジと下部フランジとが突設されている。この上部フランジ及び下部フランジは、コンテナ本体を段積し易くしたり、それを補強するためのものであり、上部フランジは側壁の上縁に、また、下部フランジは側壁の下縁にそれぞれ外方に突設されている。
【０００４】
かかる従来のコンテナを段積みする場合、下方に位置するコンテナの上部フランジに対して、上方に位置するコンテナの下部フランジを載上することによって行われる。
【先行技術文献】
【特許文献】
【０００５】
【特許文献１】実公昭６４−４６８３号公報
【発明の概要】
【発明が解決しようとする課題】
【０００６】
しかし、上記従来のコンテナを段積みしたとき、上方に位置するコンテナ内に収容物がある場合には、その収容物の重量によって、下方に位置するコンテナの側壁の上縁（上部フランジを含む）が外側へ開くような変形が起きることがあった。
【０００７】
このような変形が起きると、最悪の場合、上方に位置するコンテナが下方に位置するコンテナの開口部内に嵌まり込んでしまう。その結果、収容物が傷付く虞れ等が生ずる。
【０００８】
このような変形は、下側のコンテナと上側のコンテナとをクロス（９０°回動）した状態で段積み（以下、「クロス積み」という）した場合に、下側のコンテナの長辺側側壁において生じ易いという傾向が顕著に現れる。したがって、大コンテナの長辺側側壁の上縁上に複数の小コンテナを並べて段積みした場合には、当該下側の大コンテナの長辺側側壁に対して、上記変形が生じ易い。
【０００９】
このような変形の対策としては、コンテナの段積み時に互いに係合する突起と孔等の係合構造を上部フランジと下部フランジとに設けることが考えられるが、例えば、コンテナの上部フランジ上に、上方に向けて突起を設けた場合には、突起を設けたコンテナ（の上部フランジ）に対して、本コンテナに類似した他のコンテナ（の下部フランジ）を段積み（載上）することが困難なときがある。つまり、突起を設けたコンテナの上に、他の類似コンテナを段積みする場合、上側の類似コンテナ（の下部フランジ）には、当該突起に係合する孔を設ける必要があり、類似コンテナであっても、この孔のないものを段積みすることはできない。
【００１０】
そこで、本発明は、以上のようなことに対処するため、段積みされた上段側容器に収容物があった場合でも、下段側容器の側壁部が外方へ開くことを抑止するとともに、類似した他の容器との段積みが可能な容器を提供することを目的とする。
【課題を解決するための手段】
【００１１】
この課題を解決するためになされた請求項１に係る発明は、上下に段積み可能な容器であって、略矩形状の底壁部と、当該底壁部の各辺から上方に延出する側壁部と、段積み時に、下段側容器へ載置される載置部と、段積み時に、上段側容器が載置される被載置部と、を有し、載置部は、側壁部に近づくに連れて上方へ傾く第１傾斜部と、下方へ傾く第２傾斜部とを有することを特徴とする。
【００１２】
請求項２に係る発明は、請求項１に記載の容器であって、第１傾斜部と第２傾斜部とは、連続して形成されることを特徴とする。
【発明の効果】
【００１３】
請求項１に記載の発明によれば、段積み時に、下段側容器の被載置部の上面には、上段側容器の載置部の下面が載せられる。その際、下段側容器の被載置部の上面に対して、上段側容器の載置部に設けられた第１傾斜部が載せられる。この第１傾斜部によって、上段側容器（及びその収容物）の荷重は、下段側容器の被載置部の上面に対して、上下方向の上方向から下段側容器の側壁部へ傾いた方向（つまり、下段側容器の内方に向かう方向）の力として作用する。そのため、下段側容器の被載置部が、外方へ開き難くなる。このようにして、請求項１に記載の発明によれば、段積みされた上段側容器に収容物があった場合に、下段側容器の側壁部が外方へ開くことを抑止する。
【００１４】
請求項２に記載の発明によれば、第１傾斜部と第２傾斜部とは、連続して形成されるので、第１傾斜部によって上方に傾いた面を、第２傾斜部によって下方に傾かせて、元に戻すことが可能となる。
【００１５】
特に、請求項２に記載の容器を複数個並べて、下段側大容器に対してクロス積みする場合に、当該複数個の容器を安定した状態で載せられるとともに、下段側大容器の長辺側側壁部が外方へ開くことを抑止することができる。
【図面の簡単な説明】
【００１６】
【図１】本発明の第１の実施の形態に係る容器の外観を示す斜視図である。
【図２】図１の容器の天地を逆転させたときの同容器の外観を示す斜視図である。
【図３】図１の容器の正面図（（ａ））及び領域Ｒ１の部分拡大図（（ｂ））である。
【図４】図１の容器を上下に段積みした状態を示す斜視図である。
【図５】図４のＡ−Ａ線に沿う部分拡大断面図である。
【図６】図４のＢ−Ｂ線に沿う部分拡大断面図である。
【図７】図４のＣ−Ｃ線に沿う部分拡大断面図である。
【図８】大容器の外観を示す斜視図である。
【図９】図８の大容器の上に図１の容器を２つ並べて段積みした状態を示す斜視図である。
【図１０】図９のＤ−Ｄ線に沿う部分拡大断面図である。
【図１１】本発明の第２の実施の形態に係る容器の天地を逆転させたときの同容器の外観を示す斜視図である。
【図１２】図１２の容器を上下に段積みした状態において、図４と同様のＡ−Ａ線に沿う部分拡大断面図である。
【図１３】図１２の容器を上下に段積みした状態において、図４と同様のＣ−Ｃ線に沿う部分拡大断面図である。
【図１４】本発明の第３の実施の形態に係る容器の天地を逆転させたときの同容器の外観を示す斜視図である。
【図１５】図１４の容器の領域Ｒ２の部分拡大図である。
【図１６】図１４の容器を上下に段積みした状態において、図４と同様のＡ−Ａ線に沿う部分拡大断面図である。
【図１７】図１６の領域Ｒ３の部分拡大図である。
【図１８】図１４の容器を上下に段積みした状態におけるコーナー部分の部分拡大断面図である。
【図１９】大容器の上に図１４の容器を２つ並べて段積みし、さらにその上に大容器を段積みした状態を示す斜視図である。
【図２０】図１９のＥ−Ｅ線に沿う部分拡大断面図である。
【図２１】図１９のＦ−Ｆ線に沿う部分拡大断面図である。
【発明を実施するための形態】
【００１７】
以下、本発明の各実施の形態を図面に基づいて詳細に説明する。
［第１の実施の形態］
【００１８】
本発明の第１の実施の形態に係る容器１００は、図１に示すように、上面が開口している直方体状の箱体である。当該容器１００は、例えば、ポリプロピレン等の樹脂を材料として、一体的に金型成形されたものであり、主として、略矩形状の底壁部１１０と、対向する一対の長辺側側壁部１２０と、対向する一対の短辺側側壁部１２２とによって構成されている。各側壁部１２０，１２２は、底壁部１１０の外縁を形成する各辺から上方に延出されている。したがって、底壁部１１０は、側壁部１２０，１２２によって囲まれている。
【００１９】
なお、図１中、方向Ｄ１は、上下方向、つまり、容器１００の高さ方向を示している。また、方向Ｄ２は、長辺側側壁部１２０の幅方向を示している。さらに、方向Ｄ３は、短辺側側壁部１２２の幅方向を示している。そして、各方向Ｄ１〜Ｄ３は、互いに直交する関係にある。この事情は、他の図でも同様である。
【００２０】
本実施形態の容器１００において、各長辺側側壁部１２０の下端部１２０ａからは、長辺側下フランジ部１４０が外方に向けて突設されている。同様に、各短辺側側壁部１２２の下端部１２２ａからは、短辺側下フランジ部１４２が外方に向けて突設されている。ここで、「外方」とは、側壁部１２０，１２２の各外面から外側に向かう方向を意味するものとする（以下、同様)。
【００２１】
各短辺側下フランジ部１４２の下面１４３は、図２及び図３（ｂ）に示すように、対応する短辺側側壁部１２２に近づくに連れて上方に傾く面（以下、「第１傾斜面」という）に形成されている。一方、各長辺側下フランジ部１４０の下面１４１は、図２に示すように、フラットな面、つまり、方向Ｄ２及び方向Ｄ３によって形成される平面に平行な面１４１ａと、このフラット面１４１ａと上記第１傾斜面１４３とを滑らかに連結するために下方に傾く面（以下、「第２傾斜面」という）１４１ｂによって構成されている。ただし、図２は、本実施形態の容器１００の天地を逆転させた状態を示しているので、同図では、第１傾斜面１４３は、対応する短辺側側壁部１２２に近づくに連れて下方に傾く面として示され、第２傾斜面１４１ｂは、上方に傾く面として示されている。さらに、第１傾斜面１４３と第２傾斜面１４１ｂは、連続して形成されている。
【００２２】
図１に戻り、各長辺側側壁部１２０の上端部１２０ｂ及び各短辺側側壁部１２２の上端部１２２ｂからは、上フランジ部１５０が外方に向けて突設されている。当該上フランジ部１５０は、開口部１３０の全周に沿って一体的に形成され、その上面１５１は、フラットな面に、つまり、方向Ｄ２及び方向Ｄ３によって形成される平面に平行な面に形成されている。
【００２３】
各長辺側側壁部１２０及び各短辺側側壁部１２２の外面上、上フランジ部１５０と長辺側下フランジ部１４０との間、及び上フランジ部１５０と短辺側下フランジ部１４２との間には、縦リブ部１６０及び横リブ部１６２がそれぞれ複数、設けられている。また、縦リブ部１６０及び横リブ部１６２によって、複数（本実施形態では、２つ）の取手部１６４が形成されている。取手部１６４は、作業者の手が掛けられる持ち手部分であり、各短辺側側壁部１２２の幅方向Ｄ３の中央部に設けられている。
【００２４】
図２に示すように、底壁部１１０の下面には、格子リブ部１６６と外周リブ部１６８とが設けられている。外周リブ部１６８は、底壁部１１０の外縁から下方（図２では、紙面の上方）へ延出しており、格子リブ部１６６を取り囲んでいる。
【００２５】
図４は、以上のように構成された容器１００を上下に段積みした様子を示している。以下の説明では、段積み時の下段側容器と上段側容器とについて、上記容器１００と実質的に共通する部分には同一の符号を付することによって、詳しい説明を省略する。さらに、下段側容器に関する符号には英文字の「Ａ」を添付し、上段側容器に関する符号には英文字の「Ｂ」を添付する。
【００２６】
段積み時は、図５〜図７に示すように、下段側容器１００Ａの上フランジ部１５０Ａの上面１５１Ａに対して、上段側容器１００Ｂの長辺側下フランジ部１４０Ｂの下面１４１Ｂと短辺側下フランジ部１４２Ｂの下面１４３Ｂとが載せられる。また、図６及び図７に示すように、上段側容器１００Ｂの底壁部１１０Ｂに設けられた格子リブ部１６６Ｂ及び外周リブ部１６８Ｂが、下段側容器１００Ａの開口部１３０Ａに装入される。
【００２７】
上段側容器１００Ｂが下段側容器１００Ａに段積みされると、図５及び図６に示すように、下段側容器１００Ａの上フランジ部１５０Ａの上面１５１Ａのうち、短辺側側壁部１２２Ａに対応する部分には、上段側容器１００Ｂの短辺側側壁部１２２Ｂに設けられた短辺側下フランジ部１４２Ｂの第１傾斜面１４３Ｂが載せられる。この第１傾斜面１４３Ｂによって、下段側容器１００Ａの上フランジ部１５０Ａの上面１５１Ａと上段側容器１００Ｂの短辺側下フランジ部１４２Ｂの第１傾斜面１４３Ｂとの接触面は、上段側容器１００Ｂの短辺側側壁部１２２Ｂに近づくに連れて上方へ傾いた状態にある。
【００２８】
そのため、上段側容器１００Ｂ（及びその収容物）の荷重は、下段側容器１００Ａの上フランジ部１５０Ａの上面１５１Ａに対して、上下方向Ｄ１の上方向から下段側容器１００Ａの短辺側側壁部１２２Ａへ傾いた方向の力Ｆとして作用する。
【００２９】
一方、図７に示すように、下段側容器１００Ａの上フランジ部１５０Ａの上面１５１Ａのうち、長辺側側壁部１２０Ａに対応する部分には、主として、上段側容器１００Ｂの長辺側側壁部１２０Ｂに設けられた長辺側下フランジ部１４０Ｂのフラット面１４１ａＢが載せられる。その際、下段側容器１００Ａの上フランジ部１５０Ａの上面１５１Ａと上段側容器１００Ｂの長辺側下フランジ部１４０Ｂのフラット面１４１ａＢは、上下方向Ｄ１と直交する方向Ｄ２及び方向Ｄ３に平行なフラットな面に形作られているので、下段側容器１００Ａの上フランジ部１５０Ａの上面１５１Ａと上段側容器１００Ｂの長辺側下フランジ部１４０Ｂのフラット面１４１ａＢとは、隙間なく当接する。 
【００３０】
上述のように、上段側容器１００Ｂの長辺側側壁部１２０Ｂに設けられた長辺側下フランジ部１４０Ｂの第２傾斜面１４１ｂＢは、下方に傾く面によって形成されている。さらに、当該第２傾斜面１４１ｂＢは、第１傾斜面１４３Ｂから連続的に形成されている。より具体的には、第２傾斜面１４１ｂＢは、図５に示すように、第１傾斜面１４３Ｂの頂を始点として、長辺側下フランジ部１４０Ｂのフラット面１４１ａＢに至るまで下方に傾斜している。つまり、第２傾斜面１４１ｂＢは、第１傾斜面１４３Ｂによって上方に傾いた面を下方に傾かせて元に戻し、上段側容器１００Ｂの長辺側下フランジ部１４０Ｂのフラット面１４１ａＢを、下段側容器１００Ａの上フランジ部１５０Ａの上面１５１Ａのうち、長辺側側壁部１２０Ａに対応する部分に隙間なく当接させる役割を果たしている。
【００３１】
図８は、大容器５００の外観を示す斜視図である。この大容器５００は、図９に示すように、その上フランジ部５５０の上面５５１のうち、長辺側側壁部５２０に対応する部分に、本実施形態の容器１００を２つ並べて段積み、つまりクロス積みするときの下段側容器として用いるために挙げたものである。
【００３２】
本実施形態の容器１００が、図９に示すようにクロス積みされた場合、図１０に示すように、下段側大容器５００の上フランジ部５５０の上面５５１のうち、長辺側側壁部５２０に対応する部分には、各上段側容器１００の短辺側側壁部１２２に設けられた短辺側下フランジ部１４２の第１傾斜面１４３が載せられる。この各第１傾斜面１４３によって、下段側大容器５００の上フランジ部５５０の上面５５１と上段側容器１００の短辺側下フランジ部１４２の第１傾斜面１４３との接触面は、各上段側容器１００の短辺側側壁部１２２に近づくに連れて上方へ傾いた状態にある。
【００３３】
そのため、各上段側容器１００（及びその収容物）の荷重は、下段側大容器５００の上フランジ部５５０の上面５５１に対して、上下方向Ｄ１の上方向から下段側大容器５００の長辺側側壁部５２０へ傾いた方向の力（上記図６において図示された力Ｆと同様の方向の力）として作用する。
【００３４】
このように、本実施形態の容器１００は、上下に段積み可能な容器であって、略矩形状の底壁部１１０と、当該底壁部１１０の各辺から上方に延出する側壁部１２０，１２２と、段積み時に、下段側容器へ載置される長辺側下フランジ部１４０及び短辺側下フランジ部１４２と、段積み時に、上段側容器が載置される上フランジ部１５０と、を有している。そして、短辺側下フランジ部１４２は、短辺側側壁部１２２に近づくに連れて上方へ傾く第１傾斜面１４３を有し、長辺側下フランジ部１４０は、下方へ傾く第２傾斜面１４１ｂを有している。
【００３５】
したがって、上段側容器１００Ｂが下段側容器１００Ａに段積みされると、下段側容器１００Ａの上フランジ部１５０Ａの上面１５１Ａには、上段側容器１００Ｂの長辺側下フランジ部１４０Ｂ及び短辺側下フランジ部１４２Ｂの各下面１４１Ｂ，１４３Ｂが載せられる。その際、下段側容器１００Ａの上フランジ部１５０Ａの上面１５１Ａのうち、上段側容器１００Ｂの短辺側下フランジ部１４２Ｂに対応する部分に対して、上段側容器１００Ｂの短辺側下フランジ部１４２Ｂの下面である、第１傾斜面１４３Ｂが載せられる。この第１傾斜面１４３Ｂによって、上段側容器１００Ｂ（及びその収容物）の荷重は、下段側容器１００Ａの上フランジ部１５０Ａの上面１５１Ａに対して、上下方向Ｄ１の上方向から下段側容器１００Ａの短辺側側壁部１２２Ａへ傾いた方向（つまり、下段側容器１００Ａの内方に向かう方向）の力Ｆとして作用する。そのため、下段側容器１００Ａの上フランジ部１５０Ａが、外方へ開き難くなる。
【００３６】
このようにして、本実施形態の容器１００は、段積みされた上段側容器１００Ｂに収容物があった場合に、下段側容器１００Ａの短辺側側壁部１２２Ａが外方へ開くことを抑止する。
【００３７】
特に、本実施形態の容器１００を複数個並べて、下段側大容器に対してクロス積みする場合に、複数の容器１００を安定した状態で載せられるとともに、下段側容器の長辺側側壁部が外方へ開くことを抑止することができる。
【００３８】
具体的には、大容器５００の上フランジ部５５０の上面５５１のうち、長辺側側壁部５２０に対応する部分に、本実施形態の容器１００を２つ並べてクロス積みする場合、下段側大容器５００の上フランジ部５５０の上面５５１に対して、各上段側容器１００の短辺側下フランジ部１４２の第１傾斜面１４３が載せられる。この各第１傾斜面１４３によって、下段側大容器５００の上フランジ部５５０の上面５５１と上段側容器１００の短辺側下フランジ部１４２の第１傾斜面１４３との接触面は、各上段側容器１００の短辺側側壁部１２２に近づくに連れて上方へ傾いた状態にある。
【００３９】
そのため、各上段側容器１００（及びその収容物）の荷重は、下段側大容器５００の上フランジ部５５０の上面５５１に対して、上下方向Ｄ１の上方向から下段側大容器５００の長辺側側壁部５２０へ傾いた方向の力（上記図６において図示された力Ｆと同様の方向の力）として作用する。
【００４０】
なお、大容器５００の上に本実施形態の容器１００を２つ並べてクロス積みした場合には、上段側容器１００の一方の長辺側下フランジ部１４０（のフラット面１４１ａ）は、下段側大容器５００の上フランジ部５５０の上面５５１に載らないので、段積みの安定性が懸念される。
【００４１】
しかし、上段側容器１００の第２傾斜面１４１ｂは、第１傾斜面１４３の頂を始点として、長辺側下フランジ部１４０のフラット面１４１ａに至るまで下方に傾斜しており、第１傾斜面１４３と連続して形成されている。つまり、第２傾斜面１４１ｂは、第１傾斜面１４３によって上方に傾いた面を下方に傾かせて元に戻し、上段側容器１００の長辺側下フランジ部１４０のフラット面１４１ａを、下段側大容器５００の上フランジ部５５０の上面５５１のうち、長辺側側壁部１２０に対応する部分に隙間なく当接（図７に示すような当接）させる役割を果たしている。
【００４２】
加えて、下段側大容器５００の上フランジ部５５０の上面５５１のうち、長辺側側壁部５２０に対応する部分には、各上段側容器１００の短辺側側壁部１２２に設けられた短辺側下フランジ部１４２の第１傾斜面１４３が載せられる（図１０に示すように、第１傾斜面１４３の先端側が下段側大容器５００の上フランジ部５５０に載せられる）。
【００４３】
したがって、上段側容器１００は、他方の長辺側下フランジ部１４０のフラット面１４１ａと両短辺側下フランジ部１４２の第１傾斜面１４３（の先端側）との３辺で下段側大容器５００に載せられるので、安定した状態で載せられるとともに、下段側大容器５００の長辺側側壁部５２０が外方へ開くことを抑止することができる。
【００４４】
さらに、本実施形態の容器１００は、段積み時に互いに係合するような突起と孔等の係合構造を、上フランジ部１５０、長辺側下フランジ部１４０及び短辺側下フランジ部１４２のいずれにも設けていないので、当該容器１００に類似した他の容器との段積みをすることができる。
【００４５】
ちなみに、本実施形態において、長辺側側壁部１２０及び短辺側側壁部１２２は、「側壁部」の一例である。長辺側下フランジ部１４０及び短辺側下フランジ部１４２は、「載置部」の一例である。上フランジ部１５０は、「被載置部」の一例である。第１傾斜面１４３は、「第１傾斜部」の一例である。第２傾斜面１４１ｂは、「第２傾斜部」の一例である。
［第２の実施の形態］
【００４６】
本発明の第２の実施の形態に係る容器２００は、上記第１実施形態の容器１００に対して、各長辺側下フランジ部２１０の下面の構成のみが異なっている。このため、本実施形態の容器２００の構成のうち、上記第１実施形態の容器１００と同様の構成には、同一符号を付し、その詳細な説明を省略する。
【００４７】
各長辺側下フランジ部２１０の下面は、図１１に示すように、幅方向Ｄ２の中央領域Ｗに設けられた傾斜面２１１と、当該中央領域Ｗを除いた領域に設けられたフラット面２１２と、傾斜面２１１とフラット面２１２とを滑らかに連結する連結傾斜面２１３と、上記第１実施形態の容器１００の第２傾斜面１４１ｂと同様の第２傾斜面２１４とによって構成されている。
【００４８】
傾斜面２１１は、短辺側下フランジ部１４２の第１傾斜面１４３と同様に、対応する長辺側側壁部１２０に近づくに連れて上方に傾く面に形成されている。
【００４９】
フラット面２１２は、上記第１実施形態の容器１００の長辺側下フランジ部１４０の下面１４１のうちのフラット面１４１ａと同様に、フラットな面に形成されている。
【００５０】
図１２及び図１３は、以上のように構成された容器２００を上下に段積みした状態を示している。より具体的には、図１２は、上記第１実施形態の図５に対応するものであり、本実施形態の容器２００を上下に段積みした状態において、図４と同様のＡ−Ａ線に沿った部分拡大断面を示すものである。また、図１３は、上記第１実施形態の図７に対応するものであり、本実施形態の容器２００を上下に段積みした状態において、図４と同様のＣ−Ｃ線に沿った部分拡大断面を示すものである。
【００５１】
上段側容器２００Ｂが下段側容器２００Ａに段積みされると、図１２及び図１３に示すように、下段側容器２００Ａの上フランジ部１５０Ａの上面１５１Ａのうち、長辺側側壁部１２０Ａに対応する部分には、上段側容器２００Ｂに設けられた長辺側側壁部１２０Ｂの長辺側下フランジ部２１０Ｂの下面２１１Ｂ〜２１４Ｂが載せられる。その際、図１２に示すように、下段側容器２００Ａの上フランジ部１５０Ａのフラットな上面１５１Ａのうち、上段側容器２００Ｂの長辺側下フランジ部２１０Ｂの上記中央領域Ｗに対応する領域に対して、上段側容器２００Ｂの長辺側下フランジ部２１０Ｂの傾斜面２１１Ｂが載せられる。この傾斜面２１１Ｂによって、下段側容器２００Ａの上フランジ部１５０Ａの上面１５１Ａと上段側容器２００Ｂの長辺側下フランジ部２１０Ｂの傾斜面２１１Ｂとの接触面は、上段側容器２００Ｂの長辺側側壁部１２０Ｂに近づくに連れて上方へ傾いた状態にある。
【００５２】
そのため、上段側容器２００Ｂ（及びその収容物）の荷重は、下段側容器２００Ａの上フランジ部１５０Ａの上面１５１に対して、上下方向Ｄ１の上方向から下段側容器２００Ａの長辺側側壁部１２０Ａへ傾いた方向の力として作用する。
【００５３】
このように、本実施形態の容器２００では、短辺側下フランジ部１４２の下面に形成された第１傾斜面１４３と同様の傾斜面２１１を長辺側下フランジ部２１０の下面の一部にも形成するようにしたので、本実施形態の容器２００を上下に段積みした場合には、下段側容器２００Ａの短辺側側壁部１２２Ａだけではなく、長辺側側壁部１２０Ａも外方へ開くことを抑止することができる。
【００５４】
特に、本実施形態の容器２００を複数個並べて、下段側大容器に対してクロス積みする場合に、下段側大容器の長辺側側壁部に加えて、短辺側側壁部も外方へ開くことを抑止することができる。
【００５５】
ちなみに、本実施形態において、長辺側下フランジ部２１０は、「載置部」の一例である。傾斜面２１１は、「第１傾斜部」の一例である。連結傾斜面２１３は、「第２傾斜部」の一例である。
［第３の実施の形態］
【００５６】
上記第２実施形態の容器２００は、上述のように、長辺側側壁部１２０に設けられた長辺側下フランジ部２１０の下面の一部領域である中央領域Ｗに対して、当該長辺側側壁部１２０に近づくに連れて上方に傾く傾斜面２１１を設けている。これに対して、本発明の第３の実施の形態に係る容器３００は、当該長辺側側壁部１２０に近づくに連れて上方に傾く傾斜面を、長辺側下フランジ部３４０の下面の幅方向Ｄ２の全体に亘って形成した点のみが異なっている。このため、本実施形態の容器３００の構成のうち、上記第１及び第２実施形態の容器１００，２００と同様の構成には、同一符号を付し、その詳細な説明を省略する。
【００５７】
本実施形態の容器３００は、図１４に示すように、各長辺側側壁部１２０に設けられた長辺側下フランジ部３４０と、各短辺側側壁部１２２に設けられた短辺側下フランジ部３４２とを備えている。
【００５８】
各長辺側下フランジ部３４０の下面３４１は、図１５に示すように、主として、第１〜第３傾斜面３４１ａ〜３４１ｃによって構成されている。
【００５９】
第１傾斜面３４１ａは、上記第２実施形態の容器２００の長辺側下フランジ部２１０の傾斜面２１１と同様に、対応する長辺側側壁部１２０に近づくに連れて上方に傾く面に形成されている。ただし、図１５は、本実施形態の容器３００の天地を逆転させた状態における部分拡大図であるので、第１傾斜面３４１ａは、図１５では、対応する長辺側側壁部１２０に近づくに連れて下方に傾く面として示されている。
【００６０】
第１傾斜面３４１ａは、上述のように、長辺側下フランジ部３４０の下面３４１全体に亘って形成されているので、同様の傾斜面が離間して短辺側下フランジ部３４２の下面３４３にも、長辺側下フランジ部３４０の下面３４１の第１傾斜面離間部３４１ａ１として形成されている。
【００６１】
第２傾斜面３４１ｂは、第１傾斜面３４１ａと、短辺側下フランジ部３４２の下面３４３の第１傾斜面離間部３４３ａ１とを滑らかに連結するための連結傾斜面を形成する。この第２傾斜面３４１ｂは、上記第２実施形態の容器２００の長辺側下フランジ部２１０の下面に形成された連結傾斜面２１３と同様の役割を果たしている。
【００６２】
第３傾斜面３４１ｃは、上記第１実施形態の容器１００の長辺側下フランジ部１４０の第２傾斜面１４１ｂと同様に、下方に傾く面に形成されている。
【００６３】
一方、各短辺側下フランジ部３４２の下面３４３も、図１５に示すように、主として、第１〜第３傾斜面３４３ａ〜３４３ｃによって構成されている。
【００６４】
第１〜第３傾斜面３４３ａ〜３４３ｃは、それぞれ、上記第１〜第３傾斜面３４１ａ〜３４１ｃと同様に構成されているので、その詳細な説明は省略する。
【００６５】
なお、三角形状のフラット面３４４が、長辺側下フランジ部３４０の下面３４１に形成された第３傾斜面３４１ｃと、短辺側下フランジ部３４２の下面３４３に形成された第３傾斜面３４３ｃとが交差して形成される谷が外周リブ部１６８に当接する直前の位置に形成されている。
【００６６】
図１６〜図１８は、以上のように構成された容器３００を上下に段積みした状態を示している。より具体的には、図１６は、上記第１実施形態の図５に対応するものであり、本実施形態の容器３００を上下に段積みした状態において、図４と同様のＡ−Ａ線に沿った部分拡大断面を示すものである。また、図１７は、図１６の領域Ｒ３を拡大したものである。さらに、図１８は、本実施形態の容器３００を上下に段積みした状態において、４隅(コーナー）のうちのいずれかの１隅（コーナー）部分の拡大断面を示すものである。
【００６７】
上段側容器３００Ｂが下段側容器３００Ａに段積みされると、図１６及び図１７に示すように、下段側容器３００Ａの上フランジ部１５０Ａの上面１５１Ａのうち、短辺側側壁部１２２Ａに対応する部分には、上段側容器３００Ｂに設けられた短辺側側壁部１２２Ｂの短辺側下フランジ部３４２Ｂの下面３４３Ｂが載せられる。同様にして、下段側容器３００Ａの上フランジ部１５０Ａの上面１５１Ａのうち、長辺側側壁部１２０Ａに対応する部分には、上段側容器３００Ｂに設けられた長辺側側壁部１２０Ｂの長辺側下フランジ部３４０Ｂの下面３４１Ｂが載せられる。
【００６８】
その際、図１７及び図１８に示すように、下段側容器３００Ａの上フランジ部１５０Ａのフラットな上面１５１Ａに対して、上段側容器３００Ｂの短辺側下フランジ部３４２Ｂの第１傾斜面３４３ａＢ（及び第１傾斜面離間部３４３ａ１Ｂ）が載せられる。この第１傾斜面３４３ａＢ（及び第１傾斜面離間部３４３ａ１Ｂ）によって、下段側容器３００Ａの上フランジ部１５０Ａの上面１５１Ａと上段側容器３００Ｂの短辺側下フランジ部３４２Ｂの第１傾斜面３４３ａＢ（及び第１傾斜面離間部３４３ａ１Ｂ）との接触面は、上段側容器３００Ｂの短辺側側壁部１２２Ｂに近づくに連れて上方へ傾いた状態にある。
【００６９】
そのため、上段側容器３００Ｂ（及びその収容物）の荷重は、下段側容器３００Ａの上フランジ部１５０Ａの上面１５１に対して、上下方向Ｄ１の上方向から下段側容器３００Ａの短辺側側壁部１２２Ａへ傾いた方向の力として作用する。
【００７０】
同様にして、図１７に示すように、下段側容器３００Ａの上フランジ部１５０Ａのフラットな上面１５１Ａに対して、上段側容器３００Ｂの長辺側下フランジ部３４０Ｂの第１傾斜面３４１ａＢ（及び第１傾斜面離間部３４１ａ１Ｂ）が載せられる。この第１傾斜面３４１ａＢ（及び第１傾斜面離間部３４１ａ１Ｂ）によって、下段側容器３００Ａの上フランジ部１５０Ａの上面１５１Ａと上段側容器３００Ｂの長辺側下フランジ部３４０Ｂの第１傾斜面３４１ａＢ（及び第１傾斜面離間部３４１ａ１Ｂ）との接触面は、上段側容器３００Ｂの長辺側側壁部１２０Ｂに近づくに連れて上方へ傾いた状態にある。
【００７１】
そのため、上段側容器３００Ｂ（及びその収容物）の荷重は、下段側容器３００Ａの上フランジ部１５０Ａの上面１５１Ａに対して、上下方向Ｄ１の上方向から下段側容器３００Ａの長辺側側壁部１２０Ａへ傾いた方向の力として作用する。
【００７２】
このように、本実施形態の容器３００では、短辺側下フランジ部３４２の下面３４３にも、長辺側下フランジ部３４０の下面３４１にも、それぞれ同様の第１〜第３傾斜面３４３ａ〜３４３ｃ及び３４１ａ〜３４１ｃを形成するようにしたので、本実施形態の容器３００を上下に段積みした場合には、下段側容器３００Ａの短辺側側壁部１２２Ａだけではなく、長辺側側壁部１２０Ａも外方へ開くことを抑止することができる。
【００７３】
図１９は、本実施形態の容器３００を２つ並べて、大容器５００に対してクロス積みし、さらにその上に、大容器５００を段積みしたときの様子を示している。また、図２０は、図１９の段積みの状態において、Ｅ−Ｅ線に沿った部分拡大断面を示すものである。さらに、図２１は、図１９の段積みの状態において、Ｆ−Ｆ線に沿った部分拡大断面を示すものである。図１９〜図２１中、最下段容器から最上段容器まで、各容器に関する符号にはそれぞれ英文字の「Ａ」〜「Ｃ」を添付することにする。
【００７４】
図１９の例の場合、最下段の大容器５００Ａの上フランジ部５５０Ａの上面５５１Ａのうち、長辺側側壁部５２０Ａに対応する部分には、２段目の各容器３００Ｂの短辺側側壁部１２２Ｂに設けられた短辺側下フランジ部３４２Ｂの下面３４３Ｂが載せられる（図２０参照）。その際、最下段の大容器５００Ａの上フランジ部５５０Ａのフラットな上面５５１Ａに対して、２段目の各容器３００Ｂの短辺側下フランジ部３４２Ｂの下面３４３Ｂに形成された第１傾斜面３４３ａＢ（及び第１傾斜面離間部３４３ａ１Ｂ）が載せられる。この各第１傾斜面３４３ａＢ（及び第１傾斜面離間部３４３ａ１Ｂ）によって、最下段の大容器５００Ａの上フランジ部５５０Ａの上面５５１Ａと２段目の各容器３００Ｂの短辺側下フランジ部３４２Ｂの第１傾斜面３４３ａＢ（及び第１傾斜面離間部３４３ａ１Ｂ）との接触面は、２段目の各容器３００Ｂの短辺側側壁部１２２Ｂに近づくに連れて上方へ傾いた状態にある。
【００７５】
そのため、２段目の各容器３００Ｂ（及びその収容物）の荷重は、最下段の大容器５００Ａの上フランジ部５５０Ａの上面５５１Ａに対して、上下方向Ｄ１の上方向から最下段の大容器５００Ａの長辺側側壁部５２０Ａへ傾いた方向の力（上記図６において図示された力Ｆと同様の方向の力）として作用する。
【００７６】
同様にして、最下段の大容器５００Ａの上フランジ部５５０Ａの上面５５１Ａのうち、短辺側側壁部５２２Ａに対応する部分には、２段目の各容器３００Ｂの２つの長辺側側壁部１２０Ｂのうちの一方に設けられた長辺側下フランジ部３４０Ｂの下面３４１Ｂが載せられる（図２１参照）。その際、最下段の大容器５００Ａの上フランジ部５５０Ａのフラットな上面５５１Ａに対して、２段目の各容器３００Ｂの一方の長辺側下フランジ部３４０Ｂの下面３４１Ｂに形成された第１傾斜面３４１ａＢ（及び第１傾斜面離間部３４１ａ１Ｂ）が載せられる。この各第１傾斜面３４１ａＢ（及び第１傾斜面離間部３４１ａ１Ｂ）によって、最下段の大容器５００Ａの上フランジ部５５０Ａの上面５５１Ａと２段目の各容器３００Ｂの一方の長辺側下フランジ部３４０Ｂの第１傾斜面３４１ａＢ（及び第１傾斜面離間部３４１ａ１Ｂ）との接触面は、２段目の各容器３００Ｂの対応する長辺側側壁部１２０Ｂに近づくに連れて上方へ傾いた状態にある。
【００７７】
そのため、２段目の各容器３００Ｂ（及びその収容物）の荷重は、最下段の大容器５００Ａの上フランジ部５５０Ａの上面５５１Ａに対して、上下方向Ｄ１の上方向から最下段の大容器５００Ａの短辺側側壁部５２２Ａへ傾いた方向の力として作用する。
【００７８】
このような状況で、２段目の各容器３００Ｂの上に、大容器５００Ｃが最上段として段積みされた場合、２段目の各容器３００Ｂが最下段の大容器５００Ａに対して作用する力の方向は変動しない。
【００７９】
なお、大容器５００Ｃは、大容器５００Ａと同様に構成されているため、図１９には図示されていないものの、大容器５００Ｃの底壁部５１０Ｃの下面には、外周リブ部５６８Ｃが設けられている。この外周リブ部５６８Ｃは、上記第１実施形態の容器１００の外周リブ部１６８と異なり、２つに分割されている。そして、中央部は、対向する外周リブ部５６８Ｃによって、溝状に形成されている。
【００８０】
この溝状の中央部に、２段目の容器３００Ｂの隣接する上フランジ部１５０Ｂの接合された２つの上面１５１Ｂが装入される。これにより、分割された外周リブ部５６８Ｃのそれぞれが、２段目の各容器３００Ｂの開口部１３０Ｂに装入される（図２０及び図２１参照）。つまり、大容器５００Ｃの外周リブ部５６８Ｃは、当該大容器５００Ｃを、本実施形態の容器３００をクロス積みしたものの上に段積みする際に、自身及びその下段のクロス積みされた容器３００Ｂの段積みの安定化を図る役目を果たしている。
【００８１】
また、大容器５００Ｃの長辺側下フランジ部５４０Ｃ及び短辺側下フランジ部５４２Ｃの各下面には、図１９には図示されていないものの（ただし、大容器５００Ｃと同様に構成された大容器５００Ａについては図示されている）、本実施形態の容器３００の第１〜第３傾斜面３４１ａ〜３４１ｃ及び３４３ａ〜３４３ｃ（及び第１傾斜面離間部３４１ａ１，３４３ａ１）と同様に構成された第１〜第３傾斜面（及び第１傾斜面離間部）が形成されている。
【００８２】
したがって、大容器５００Ｃが２段目の各容器３００Ｂの上に段積みされた場合には、当該大容器５００Ｃ（及びその収容物）の荷重は、２段目の各容器３００Ｂの上面１５１Ｂに対して、上下方向Ｄ１の上方向から２段目の各容器３００Ｂの両短辺側側壁部１２２Ｂ及び一方の長辺側側壁部１２０Ｂへ傾いた方向の力として作用する。
【００８３】
このように、本実施形態の容器３００を複数個並べて、下段側大容器に対してクロス積みする場合には、さらに当該クロス積みされた容器の上に、大容器を段積みする場合にも、下段側あるいは最下段側大容器の長辺側側壁部に加えて、短辺側側壁部も外方へ開くことを抑止することができる。
【００８４】
ちなみに、本実施形態において、長辺側下フランジ部３４０及び短辺側下フランジ部３４２は、「載置部」の一例である。第１傾斜面３４１ａ，３４３ａは、「第１傾斜部」の一例である。第２傾斜面３４１ｂ，３４３ｂ及び第３傾斜面３４１ｃ，３４３ｃは、「第２傾斜部」の一例である。
【００８５】
なお、本発明は上記各実施形態に限定されるものでなく、その趣旨を逸脱しない範囲で様々な変更が可能である。
（１）上記第１〜第３実施形態では、容器１００，２００，３００は、直方体状に形成されているが、これに限らず、立方体状に形成されていてもよい。
（２）上記第１〜第３実施形態では、底壁部１１０は、平面視において完全な矩形状ではなく、４隅がＲ形状となっている（図１参照）、つまり略矩形状となっているが、これに限らず、４隅が直角である、完全な矩形状としてもよい。
（３）上記第１〜第３実施形態では、段積みは、上下２段としているが、これに限らず、３段以上であってもよい。
【符号の説明】
【００８６】
１００，２００，３００  容器
１１０  底壁部
１２０  長辺側側壁部
１２２  短辺側側壁部
１３０  開口部
１４０，２１０，３４０  長辺側下フランジ部
１４２，３４２  短辺側下フランジ部
１４１  下面
１４３  第１傾斜面
１４１ａ  フラット面
１４１ｂ  第２傾斜面
１５０  上フランジ部
１５１  上面
１６０  縦リブ部
１６２  横リブ部
１６４  取手部
１６６  格子リブ部
１６８  外周リブ部
２１１  傾斜面
２１２  フラット面
２１３  連結傾斜面
２１４  第２傾斜面
３４１ａ〜３４１ｃ，３４３ａ〜３４３ｃ  第１〜第３傾斜面
【図１】
2019218089.tif 000003
【図２】
2019218089.tif 000004
【図３】
2019218089.tif 000005
【図４】
2019218089.tif 000006
【図５】
2019218089.tif 000007
【図６】
2019218089.tif 000008
【図７】
2019218089.tif 000009
【図８】
2019218089.tif 000010
【図９】
2019218089.tif 000011
【図１０】
2019218089.tif 000012
【図１１】
2019218089.tif 000013
【図１２】
2019218089.tif 000014
【図１３】
2019218089.tif 000015
【図１４】
2019218089.tif 000016
【図１５】
2019218089.tif 000017
【図１６】
2019218089.tif 000018
【図１７】
2019218089.tif 000019
【図１８】
2019218089.tif 000020
【図１９】
2019218089.tif 000021
【図２０】
2019218089.tif 000022
【図２１】
2019218089.tif 000023